(57)【要約】【課題】高画質で分割プリントを行うことができるようにする。【解決手段】画像を複数の用紙に分割してプリントするに際し、画像サイズ取得部３２が画像の縦方向および横方向の画素数である画像サイズを取得し、プリント解像度取得部３４が画像をプリントする、複数サイズの用紙を使用可能なプリンタ２８のプリント解像度を取得する。分割数決定部３６が、画像サイズおよびプリント解像度に基づいて、画像をプリント解像度にてプリントすることにより得られるプリント画像のサイズを維持するよう、最適用紙サイズおよび最適分割数を決定する。【選択図】図１
2008065671.tif 000002
【特許請求の範囲】
【請求項１】
画像を複数の用紙に分割してプリントするために前記画像を分割する画像分割装置において、
前記画像の縦方向および横方向の画素数である画像サイズを取得するサイズ取得手段と、
前記画像をプリントする、複数サイズの用紙を使用可能なプリント装置のプリント解像度を取得するプリント解像度取得手段と、
前記画像サイズおよび前記プリント解像度に基づいて、前記画像を前記プリント解像度にてプリントすることにより得られるプリント画像のサイズを維持するよう、最適用紙サイズおよび最適分割数を決定する分割数決定手段とを備えたことを特徴とする画像分割装置。
【請求項２】
前記分割数算出手段は、前記画像サイズおよびプリント解像度から前記プリント画像のサイズを算出し、該プリント画像のサイズに基づいて、前記プリンタが使用可能な用紙のサイズの種類毎に仮の分割数を決定し、前記プリント画像の面積と、前記用紙サイズ毎の前記用紙サイズに対応する用紙の面積および前記仮の分割数の乗算値の差との絶対値が最小となった場合の用紙サイズおよび仮の分割数を、前記最適用紙サイズおよび前記最適分割数に決定する手段であることを特徴とする請求項１記載の画像分割装置。
【請求項３】
前記画像の中心を、前記最適用紙サイズの前記用紙を前記最適分割数に応じて配置することにより得られるプリント領域の中心と一致させて前記画像をプリントするよう前記プリンタを制御するプリンタ制御手段をさらに備えたことを特徴とする請求項１または２記載の画像分割装置。
【請求項４】
前記プリンタ制御手段は、前記プリント画像の縦方向および／または横方向のサイズが、前記プリント領域の縦方向および／または横方向のサイズと一致しない場合、前記画像の中心を前記プリント領域の中心と一致させるとともに、前記プリント画像における前記プリント領域と一致しない方向のサイズを前記プリント領域の対応する方向のサイズと一致させるように前記画像をリサイズするよう、前記プリンタを制御する手段であることを特徴とする請求項３記載の画像分割装置。
【請求項５】
前記プリンタ制御手段は、前記プリント画像の縦方向および／または横方向のサイズが、前記プリント領域の縦方向および／または横方向のサイズと一致しない場合、前記画像の中心を前記プリント領域の中心と一致させるとともに、アスペクト比を維持しつつ前記プリント領域に内接させるように前記プリント画像のサイズを変更するよう、前記プリンタを制御する手段であることを特徴とする請求項３記載の画像分割装置。
【請求項６】
画像を複数の用紙に分割してプリントするために前記画像を分割する画像分割方法において、
前記画像の縦方向および横方向の画素数である画像サイズを取得し、
前記画像をプリントする、複数サイズの用紙を使用可能なプリント装置のプリント解像度を取得し、
前記画像サイズおよび前記プリント解像度に基づいて、前記画像を前記プリント解像度にてプリントすることにより得られるプリント画像のサイズを維持するよう、最適用紙サイズおよび最適分割数を決定することを特徴とする画像分割方法。
【請求項７】
画像を複数の用紙に分割してプリントするために前記画像を分割する画像分割方法をコンピュータに実行させるためのプログラムにおいて、
前記画像の縦方向および横方向の画素数である画像サイズを取得する手順と、
前記画像をプリントする、複数サイズの用紙を使用可能なプリント装置のプリント解像度を取得する手順と、
前記画像サイズおよび前記プリント解像度に基づいて、前記画像を前記プリント解像度にてプリントすることにより得られるプリント画像のサイズを維持するよう、最適用紙サイズおよび最適分割数を決定する手順とを有することを特徴とするプログラム。
【発明の詳細な説明】
【技術分野】
【０００１】
本発明は、画像を複数の用紙に分割してプリントする際に画像を分割するための画像分割装置および方法並びに画像分割方法をコンピュータに実行させるためのプログラムに関するものである。
【背景技術】
【０００２】
従来より１つの画像を拡大して所定サイズの用紙に分割してプリントする分割プリントが行われている。このような分割プリントにより得られた用紙を貼り合わせることにより、ポスターサイズ等の大型のプリントを作成することができる。
【０００３】
ところで、上記のような分割プリントを行う場合には画像を分割する必要があるが、プリントした用紙における分割した部分が不連続であると、用紙を貼り合わせることにより得られる大型のプリントの見栄えが悪くなる。このため、分割した画像のそれぞれの領域を実際の用紙サイズに対応するプリント領域よりも拡大してプリントすることにより、プリントした用紙を繋ぎ合わせる際に不連続な部分が生じないようにする手法が提案されている（特許文献１参照）。また、分割プリントを行う際に、用紙のサイズ（すなわち用紙の縦横の長さ）に応じて、適切な分割数を決定するとともに、用紙を繋ぎ合わせる際ののりしろのサイズを決定する手法も提案されている（特許文献２参照）。
【特許文献１】特開２００１−３２１４２２号公報
【特許文献２】特開２０００−２３８３６４号公報
【発明の開示】
【発明が解決しようとする課題】
【０００４】
ところで、上記特許文献１，２に記載された手法は、あらかじめ定められたサイズの用紙に画像を分割してプリントするものであるため、分割プリントを行う際には用紙のサイズに合わせて画像のサイズを変更する必要がある。しかしながら、画像のサイズを変更すると、とくに画像を拡大した場合には画質が劣化するため、高画質の分割プリントを行うことができないという問題がある。
【０００５】
本発明は上記事情に鑑みなされたものであり、高画質で分割プリントを行うことができるようにすることを目的とする。
【課題を解決するための手段】
【０００６】
本発明による画像分割装置は、画像を複数の用紙に分割してプリントするために前記画像を分割する画像分割装置において、
前記画像の縦方向および横方向の画素数である画像サイズを取得するサイズ取得手段と、
前記画像をプリントする、複数サイズの用紙を使用可能なプリント装置のプリント解像度を取得するプリント解像度取得手段と、
前記画像サイズおよび前記プリント解像度に基づいて、前記画像を前記プリント解像度にてプリントすることにより得られるプリント画像のサイズを維持するよう、最適用紙サイズおよび最適分割数を決定する分割数決定手段とを備えたことを特徴とするものである。
【０００７】
最適用紙サイズおよび最適分割数とは、プリント画像の面積とプリント画像をプリントする際に使用するすべての用紙の面積との差が最小となるような用紙サイズおよび分割数を意味する。
【０００８】
なお、本発明による画像分割装置においては、前記分割数算出手段を、前記画像サイズおよびプリント解像度から前記プリント画像のサイズを算出し、該プリント画像のサイズに基づいて、前記プリンタが使用可能な用紙のサイズの種類毎に仮の分割数を決定し、前記プリント画像の面積と、前記用紙サイズ毎の前記用紙サイズに対応する用紙の面積および前記仮の分割数の乗算値の差との絶対値が最小となった場合の用紙サイズおよび仮の分割数を、前記最適用紙サイズおよび前記最適分割数に決定する手段としてもよい。
【０００９】
また、本発明による画像分割装置においては、前記画像の中心を、前記最適用紙サイズの前記用紙を前記最適分割数に応じて配置することにより得られるプリント領域の中心と一致させて前記画像をプリントするよう前記プリンタを制御するプリンタ制御手段をさらに備えるものとしてもよい。
【００１０】
この場合、前記プリンタ制御手段を、前記プリント画像の縦方向および／または横方向のサイズが、前記プリント領域の縦方向および／または横方向のサイズと一致しない場合、前記画像の中心を前記プリント領域の中心と一致させるとともに、前記プリント画像における前記プリント領域と一致しない方向のサイズを前記プリント領域の対応する方向のサイズと一致させるように前記画像をリサイズするよう、前記プリンタを制御する手段としてもよい。
【００１１】
またこの場合、前記プリンタ制御手段を、前記プリント画像の縦方向および／または横方向のサイズが、前記プリント領域の縦方向および／または横方向のサイズと一致しない場合、前記画像の中心を前記プリント領域の中心と一致させるとともに、アスペクト比を維持しつつ前記プリント領域に内接させるように前記プリント画像のサイズを変更するよう、前記プリンタを制御する手段としてもよい。
【００１２】
本発明による画像分割方法は、画像を複数の用紙に分割してプリントするために前記画像を分割する画像分割方法において、
前記画像の縦方向および横方向の画素数である画像サイズを取得し、
前記画像をプリントする、複数サイズの用紙を使用可能なプリント装置のプリント解像度を取得し、
前記画像サイズおよび前記プリント解像度に基づいて、前記画像を前記プリント解像度にてプリントすることにより得られるプリント画像のサイズを維持するよう、最適用紙サイズおよび最適分割数を決定することを特徴とするものである。
【００１３】
なお、本発明による画像分割方法をコンピュータに実行させるためのプログラムとして提供してもよい。
【発明の効果】
【００１４】
本発明によれば、画像の縦方向および横方向の画素数である画像サイズ、および画像をプリントする、複数サイズの用紙を使用可能なプリント装置のプリント解像度に基づいて、画像をプリント解像度にてプリントすることにより得られるプリント画像のサイズを維持するよう、最適用紙サイズおよび最適分割数を決定するようにしたものである。このため、画像を拡大縮小することなく、画像のサイズおよびプリンタの解像度を最大限に生かした、高画質の分割プリントを行うことができる。
【発明を実施するための最良の形態】
【００１５】
以下、図面を参照して本発明の実施形態について説明する。図１は本発明の実施形態による画像分割装置の構成を示す概略ブロック図である。図１に示すように本実施形態による画像分割装置１は、画像データの記録制御および表示制御等の各種制御を行うとともに、装置１を構成する各部の制御を行うＣＰＵ１２と、ＣＰＵ１２を動作させるプログラム、および各種定数が記録されているＲＯＭおよびＣＰＵ１２が処理を実行する際の作業領域となるＲＡＭにより構成されるシステムメモリ１４と、各種表示を行う液晶モニタ等からなる表示部１６と、表示部１６を制御する表示制御部１８と、種々の指示を装置１に対して行うためのキーボード、マウスおよびタッチパネル等からなる入力部２０と、入力部２０を制御する入力制御部２２とを備える。
【００１６】
また、画像分割装置１は、画像を表す画像データを記録したメモリカード等のメディアから画像データを読み出したり画像データをメディアに記録したりするための画像読込部２４と、画像読込部２４を制御する画像読込制御部２６と、プリンタ２８と、プリンタ２８を制御するプリンタ制御部３０とを備える。なお、本実施形態においては、プリンタ２８はフォトサイズ（１５．０ｃｍ×１０ｃｍ）、Ａ６サイズ（１４．８ｃｍ×１０．５ｃｍ）およびＬサイズ（１２．７ｃｍ×８．９ｃｍ）の３サイズの用紙を使用することができるものであるが、使用可能な用紙のサイズはこれらに限定されるものではない。
【００１７】
また、画像分割装置１は、読み込まれた画像のサイズ（すなわち縦方向および横方向の画素数）を取得する画像サイズ取得部３２と、プリンタ２８のプリント解像度（ｄｐｉ）を取得するプリント解像度取得部３４と、画像サイズおよびプリント解像度に基づいて最適用紙サイズおよび最適分割数を算出する分割数決定部３６とを備える。なお、プリンタ２８のプリント解像度はあらかじめ定められた複数種類の値（例えば３００ｄｐｉ、６００ｄｐｉ等）に変更可能であり、分割プリントの開始前に所定の値に設定されている。
【００１８】
次いで、本実施形態において行われる処理について説明する。図２は本実施形態において行われる処理を示すフローチャートである。作業者が分割プリントの指示を入力部２０から行うことによりＣＰＵ１２が処理を開始し、画像読込部２４が分割プリントに使用する画像を読み込む（ステップＳＴ１）。次いで、画像サイズ取得部３２が読み込んだ画像のサイズを取得し（ステップＳＴ２）、さらにプリント解像度取得部３４がプリンタ２８のプリント解像度を取得する（ステップＳＴ３）。そして、分割数決定部３６が、画像サイズおよびプリント解像度に基づいて最適用紙サイズおよび最適分割数を決定する（ステップＳＴ４）。
【００１９】
以下、最適用紙サイズおよび最適分割数の決定について詳細に説明する。まず、分割数決定部３６は、読み込んだ画像の横方向の画素数Ｘ（ドット）、画像の縦方向の画素数Ｙ（ドット）、およびプリント解像度Ｚ（ｄｐｉ）に基づいて、下記の式（１）により、画像をプリント解像度にてプリントすることにより得られるプリント画像の横方向および縦方向の長さＳｘ，Ｓｙ（ｃｍ）を算出する。なお、ここでは１インチ＝２．５４ｃｍとしている。
【００２０】
Ｓｘ＝（Ｘ／Ｚ）×２．５４
Ｓｙ＝（Ｙ／Ｚ）×２．５４              （１）
次いで、プリンタ２８が使用可能なすべての用紙サイズの横方向の長さをｓｘｎ（ｃｍ）、縦方向の長さをｓｙｎ（ｃｍ）（ｎは使用可能なすべての用紙サイズに割り振った番号）として、下記の式（２）により、用紙サイズの種類に応じた仮の分割数Ｄｘｎ，Ｄｙｎを決定する。
【００２１】
Ｄｘｎ＝ｉｎｔ（Ｓｘ／ｓｘｎ＋０．５）
Ｄｙｎ＝ｉｎｔ（Ｓｙ／ｓｙｎ＋０．５）      （２）
但し，ｉｎｔ（）は小数点以下を切り捨てて整数値を求めることを意味し、Ｄｘｎ，Ｄｙｎはそれぞれ画像の横方向および縦方向の分割数を表す。
【００２２】
そして、すべての用紙サイズについて下記の式（３）により分割数決定パラメータＤｎを算出する。
【００２３】
Ｄｎ＝｜Ｓｘ×Ｓｙ−ｓｘｎ×ｓｙｎ×Ｄｘｎ×Ｄｙｎ｜    （３）
式（３）において、Ｓｘ×Ｓｙは画像をプリント解像度にてプリントすることにより得られるプリント画像の面積、ｓｘｎ×ｓｙｎは１枚の用紙の面積、Ｄｘｎ×Ｄｙｎは仮の分割数により得られる用紙の数であり、ｓｘｎ×ｓｙｎ×Ｄｘｎ×Ｄｙｎは使用するすべての用紙の面積である。
【００２４】
そして、分割数決定部３６は、分割数決定パラメータＤｎが最小となるときの用紙サイズを最適用紙サイズに、最適用紙サイズを得た仮の分割数を最適分割数に決定する。
【００２５】
ここで、画像サイズが３５００×２４８０、プリント解像度が３００ｄｐｉ、使用可能な用紙サイズが上述したフォトサイズ（ｎ＝１）、Ａ６サイズ（ｎ＝２）およびＬサイズ（ｎ＝３）とした場合の最適用紙サイズおよび最適分割数の決定について具体的に説明する。
【００２６】
まず、式（１）よりＳｘ，Ｓｙはそれぞれ２９．６ｃｍ、２１．０ｃｍとなる。そして、ｎ＝１の場合、Ｄｘ１，Ｄｙ１はそれぞれ２，２となり、Ｄ１＝２１．６となる。また、ｎ＝２の場合、Ｄｘ２，Ｄｙ２はそれぞれ２，２となり、Ｄ２＝０となる。また、ｎ＝３の場合、Ｄｘ３，Ｄｙ３はそれぞれ２，２となり、Ｄ３＝１２３．７６となる。したがって、分割数決定パラメータが最小となる最適用紙サイズはＡ６、最適分割数は縦横それぞれ２に決定される。
【００２７】
なお、同様の計算により、画像サイズが３０００×２２５０の場合には最適用紙サイズはＬサイズ、最適分割数は縦横それぞれ２となり、画像サイズが２９００×２１７５の場合には最適用紙サイズはＬサイズ、最適分割数は縦横それぞれ２となる。このように、最適用紙サイズおよび最適分割数を決定することにより、画像をプリント解像度にてプリントすることにより得られるプリント画像のサイズを維持することが可能となる。
【００２８】
次いで、プリンタ制御部３０が、画像の中心を最適用紙サイズの用紙を最適分割数に応じて配置することにより得られるプリント領域の中心と一致させて画像をプリントするようプリンタ２８に指示を行う（プリント制御：ステップＳＴ５）。これにより、画像と用紙との位置関係は図３に示すものとなる。なお、図３において実線はプリント画像の輪郭を、破線は用紙の輪郭をそれぞれ表す。ここで、プリント画像のサイズとプリント領域のサイズとが一致する場合、画像と用紙との位置関係は図３（ａ）に示すものとなり、プリント画像の縦方向のサイズのみがプリント領域の縦方向のサイズよりも大きい場合には、画像と用紙との位置関係は図３（ｂ）に示すものとなり、プリント画像の横方向のサイズがプリント領域の横方向のサイズより小さく、プリント画像の縦方向のサイズがプリント領域の縦方向のサイズより大きい場合には、画像と用紙との位置関係は図３（ｃ）に示すように左右に余白ができるものとなる。
【００２９】
次いで、ＣＰＵ１２は、画像と用紙との位置関係を確認するための画像確認画面を表示部１６に表示する（ステップＳＴ６）。図４は画像確認画面を示す図である。図４に示すように画像確認画面１００には、画像と用紙の輪郭とを重畳させて表示する画像表示エリア１０２と、プリント解像度および用紙サイズの変更を指示するための変更指示ボックス１０４Ａ，１０４Ｂと、変更指示を確定させるための変更ボタン１０６と、プリント出力を実行させるためのプリントボタン１０８とが表示されている。
【００３０】
作業者は画像表示エリア１０２において、画像がプリントされる態様を確認することができる。また、プリント解像度および／または用紙サイズを変更したい場合には、変更指示ボックス１０４Ａ，１０４Ｂにプリント解像度および／または用紙サイズを入力して変更ボタン１０６を押下することにより変更の指示を行うことができる。また、プリントを実行したい場合にはプリントボタン１０８を押下することによりプリントを実行することができる。
【００３１】
したがって、ＣＰＵ１２は、作業者が変更ボタン１０６を押下することにより変更の指示がなされたか否かを判定し（ステップＳＴ７）、ステップＳＴ７が肯定されるとステップＳＴ４に戻り、ステップＳＴ４以降の処理を繰り返す。なお、用紙サイズの変更が指示された場合には、その用紙サイズを最適用紙サイズとして最適分割数のみをステップＳＴ４において決定する。
【００３２】
一方、ステップＳＴ７が否定されると、作業者がプリントボタン１０８を押下することによりプリント指示がなされたか否かを判定し（ステップＳＴ８）、ステップＳＴ８が否定されるとステップＳＴ７に戻る。ステップＳＴ８が肯定されるとＣＰＵ１２がプリントを行うようプリンタ制御部３０に指示を行うことにより、プリンタ２８が画像を分割して最適用紙サイズの用紙にプリント出力し（ステップＳＴ９）、処理を終了する。
【００３３】
このように、本実施形態においては、画像をプリント解像度にてプリントすることにより得られるプリント画像のサイズを維持するよう、最適用紙サイズおよび最適分割数を決定するようにしたため、画像を拡大縮小することなく、画像のサイズおよびプリンタ２８の解像度を最大限に生かした、高画質の分割プリントを行うことができる。
【００３４】
次いで、本発明の第２の実施形態について説明する。上記第１の実施形態においては、画像の中心を最適用紙サイズの用紙を最適分割数に応じて配置することにより得られるプリント領域の中心と一致させて画像をプリントしているが、第２の実施形態においては、プリント画像の縦方向および／または横方向のサイズが、プリント領域の縦方向および／または横方向のサイズと一致しない場合、画像の中心をプリント領域の中心と一致させるとともに、プリント画像におけるプリント領域と一致しない方向のサイズをプリント領域の対応する方向のサイズと一致させるように画像をリサイズするようにした点が、第１の実施形態と異なる。
【００３５】
図５は第２の実施形態において行われる処理を示すフローチャートである。なお、図５におけるステップＳＴ１１からステップＳＴ１８までの処理は、図２におけるステップＳＴ１からステップＳＴ８までの処理と同一であるため、ここでは詳細な説明は省略する。ステップＳＴ１８が肯定されると、プリンタ制御部３０はプリント画像におけるプリント領域と一致しない方向のサイズがプリント領域の対応する方向のサイズと一致するように画像をリサイズする（ステップＳＴ１９）。
【００３６】
図６は第２の実施形態における画像のリサイズを説明するための図である。上述した図３（ｂ）に示すように、プリント画像の縦方向のサイズのみがプリント領域の縦方向のサイズよりも大きい場合、プリント画像の縦方向のサイズがプリント領域の縦方向のサイズと一致するように画像を縦方向にのみ縮小して画像をリサイズする。これにより、プリント画像は図６（ａ）に示すように、縦方向に圧縮された画像となる。
【００３７】
一方、上述した図３（ｃ）に示すように、プリント画像の横方向のサイズがプリント領域の横方向のサイズより小さく、プリント画像の縦方向のサイズがプリント領域の縦方向のサイズより大きい場合、プリント画像の縦横両方向のサイズがプリント領域の縦横両方向のサイズと一致するように画像を縦方向に縮小し、横方向に余白がなくなるように拡大して画像をリサイズする。これにより、プリント画像は図６（ｂ）に示すように、縦方向に圧縮され横方向に拡大された画像となる。
【００３８】
そしてリサイズ後、ＣＰＵ１２がプリントを行うようプリンタ制御部３０に指示を行うことにより、プリンタ２８がリサイズされた画像を分割して最適用紙サイズの用紙にプリント出力し（ステップＳＴ２０）、処理を終了する。
【００３９】
これにより、画像のアスペクト比は変更されるものの、画像のサイズを大きく変更することなく、プリント画像とプリント領域とのサイズを一致させることができる。
【００４０】
なお、上記第２の実施形態においては、画像のアスペクト比を無視してプリント領域と一致させるように画像をリサイズしているが、画像をプリント領域に内接させるようにアスペクト比を維持しつつリサイズしてもよい。図７は画像をプリント領域に内接させるリサイズを説明するための図である。
【００４１】
上述した図３（ｂ）に示すように、プリント画像の縦方向のサイズのみがプリント領域の縦方向のサイズよりも大きい場合、プリント画像の縦方向のサイズがプリント領域の縦方向のサイズと一致するように、アスペクト比を維持しつつ画像を縮小することにより画像をリサイズすると、画像は図７に示すように、横方向の辺がプリント領域の横方向の辺に内接し、左右に余白ができるようにプリントされることとなる。また、上述した図３（ｃ）に示すように、プリント画像の横方向のサイズがプリント領域の横方向のサイズより小さく、プリント画像の縦方向のサイズがプリント領域の縦方向のサイズより大きい場合も、同様に左右に余白ができるようにプリントされることとなる。これにより、画像のサイズを大きく変更することなく、画像のアスペクト比を維持して分割プリントを行うことができる。
【００４２】
以上、本発明の実施形態に係る装置１について説明したが、コンピュータを、上記のプリンタ制御部３０、画像サイズ取得部３２、プリント解像度取得部３４、および分割数決定部３６に対応する手段として機能させ、図２，５に示すような処理を行わせるプログラムも、本発明の実施形態の１つである。また、そのようなプログラムを記録したコンピュータ読取り可能な記録媒体も、本発明の実施形態の１つである。
【図面の簡単な説明】
【００４３】
【図１】本発明の実施形態による画像分割装置の構成を示す概略ブロック図
【図２】第１の実施形態において行われる処理を示すフローチャート
【図３】第１の実施形態における画像と用紙との位置関係を示す図
【図４】画像確認画面を示す図
【図５】第２の実施形態において行われる処理を示すフローチャート
【図６】第２の実施形態における画像と用紙との位置関係を示す図（その１）
【図７】第２の実施形態における画像と用紙との位置関係を示す図（その２）
【符号の説明】
【００４４】
１    画像分割装置
１２    ＣＰＵ
１４    システムメモリ
１６    表示部
１８    表示制御部
２０    入力部
２２    入力制御部
２４    画像読込部
２６    画像読込制御部
２８    プリンタ
３０    プリンタ制御部
３２    画像サイズ取得部
３４    プリント解像度取得部
３６    分割数決定部
【図１】
2008065671.tif 000003
【図２】
2008065671.tif 000004
【図３】
2008065671.tif 000005
【図４】
2008065671.tif 000006
【図５】
2008065671.tif 000007
【図６】
2008065671.tif 000008
【図７】
2008065671.tif 000009